(57)【特許請求の範囲】
【請求項１】
口金の形状が白熱灯の口金と同一形状である高圧放電灯と、点灯用のエネルギーを供給する電源と、前記電源に接続された少なくとも限流要素と高圧パルス発生回路を含み、高圧放電灯を始動させ、安定に点灯維持する点灯回路と、前記点灯回路の出力に接続され、前記口金に適合する形状のランプソケットとを有して成る高圧放電灯点灯装置において、前記ランプソケットに前記高圧放電灯と同一形状の口金を持つ白熱灯が挿入されている誤挿入時に、誤挿入を検出する手段を有し、誤挿入検出時には、前記点灯回路が前記ランプソケットに高圧放電灯が挿入されている場合よりも大きい電力を供給し、ランプが白熱灯であった場合にランプへ供給する電流を多くして、フィラメントを断線させる制御を行うことを特徴とする高圧放電灯点灯装置。
【請求項２】
請求項１において、誤挿入検出手段は、前記高圧パルス発生回路による高圧パルスの印加前に前記点灯回路の出力電圧又は出力電流又は出力電力を検出することにより誤挿入を検出するように構成されていることを特徴とする高圧放電灯点灯装置。
【請求項３】
請求項１において、誤挿入検出手段は、前記高圧パルス発生回路による高圧パルスの印加後に前記点灯回路の出力電圧又は出力電流又は出力電力を検出することにより誤挿入を検出するように構成されていることを特徴とする高圧放電灯点灯装置。
【請求項４】
請求項１乃至３のいずれかにおいて、前記点灯回路は、昇圧チョッパ回路と、昇圧チョッパ回路の出力に接続された４石のフルブリッジ回路とを含んで構成されていることを特徴とする高圧放電灯点灯装置。
【発明の詳細な説明】
【０００１】
【発明の属する技術分野】
本発明は、水銀ランプ、高圧ナトリウムランプ、メタルハライドランプ等の高圧放電灯を始動・点灯させる高圧放電灯点灯装置に関するものである。
【０００２】
【従来の技術】
図１２は従来の高圧放電灯点灯装置の基本的な回路構成を示している。この装置は、昇圧チョッパで構成された直流電源回路１と、降圧チョッパ回路２と、極性反転回路３と、高圧パルス電圧発生回路Ｉｇと、降圧チョッパ回路２のスイッチング素子Ｑ２の駆動制御を行うための制御回路５とから成る。この制御回路５の詳細を図１３に示す。
【０００３】
図１２の直流電源回路１は全波整流器ＤＢで商用交流電源ＡＣを全波整流して得られる脈流電圧をインダクタンス素子Ｌ１、ダイオードＤ１、コンデンサＣ１、ＭＯＳＦＥＴなどのスイッチング素子Ｑ１により構成される所謂昇圧チョッパ回路により直流電圧に変換するようになっている。降圧チョッパ回路２は数１０ｋＨｚでオン・オフするＭＯＳＦＥＴなどのスイッチング素子Ｑ２、ダイオードＤ２、インダクタンス素子Ｌ２で構成され、その出力電流ＩＬ２は図１４の（ａ）に示すような三角波状である。そのインダクタンス素子Ｌ２の２次巻線に発生する電圧は直列接続されている抵抗Ｒ４を介して出力電流ＩＬ２の検出出力として制御回路５へ送られ、制御回路５を通じ降圧チョッパ回路２のスイッチング素子Ｑ２をゼロクロススイッチング駆動制御するためのフィードバック信号となる（図１４（ｂ））。また、コンデンサＣ２は、降圧チョッパ回路２の出力電流から高周波成分を除去するものである。極性反転回路３は前段の降圧チョッパ回路２からの直流出力を、ＭＯＳＦＥＴのようなスイッチング素子Ｑ３〜Ｑ６で構成されるフルブリッジ回路により、低周波の矩形波交流電圧に変換し、数１００Ｈｚの低周波の矩形波交流電流を高圧放電灯ＬＡに供給する。高圧パルス電圧発生回路Ｉｇは、始動時に高圧放電灯ＬＡを絶縁破壊させるための高圧パルス電圧を発生させ、高圧放電灯ＬＡの点灯後は動作を停止する。
【０００４】
図１３に示す制御回路５は、降圧チョッパ回路２のインダクタンス素子Ｌ２の２次巻線電圧を検出するゼロ電流検出回路５１と、ゼロ電流検出回路５１の出力を受けてゼロ電流となったときに発生するトリガパルス（図１４（ｃ））により、スイッチング素子Ｑ２を駆動させるための所定の信号を発生させるＰＷＭ回路５２と、ＰＷＭ回路５２の出力信号（図１４（ｄ））によりスイッチング素子Ｑ２を駆動するドライバ回路５３から構成される。
【０００５】
ここで、上記回路説明を踏まえて電源投入からランプの安定点灯までの動作を説明する。商用交流電源ＡＣが投入されると、直流電源回路１、降圧チョッパ回路２、極性反転回路３と制御回路５が動作を開始する。これに伴い、図１２の端子ＬＡ１−ＬＡ２間に、図１５の（１）の期間のように、降圧チョッパ回路２の出力電圧（＝Ｖｄｃ）を極性反転回路３により極性反転させた矩形波交流電圧に、高圧パルス発生回路Ｉｇより発生される高圧パルス電圧が重畳された電圧Ｖｏ２が発生する。次に、図１５の（１）の期間の高圧パルス電圧により高圧放電灯ＬＡが絶縁破壊されてから安定点灯状態に入るまでの期間が図１５の（２）の期間である。絶縁破壊直後、高圧放電灯ＬＡはほぼ短絡状態となり、端子ＬＡ１−ＬＡ２間には高圧放電灯短絡電流Ｉｏ２が流れる。その後、高圧放電灯ＬＡが徐々に安定点灯に移行するが、その過程でランプ電流Ｉｏ２は短絡電流値と比べて少なくなり、ランプ電圧は上がる。高圧放電灯が安定点灯状態になると、端子ＬＡ１−ＬＡ２間には、高圧放電灯ＬＡの定格電圧Ｖｌａ・定格電流Ｉｌａが発生する。このときの波形が図１５の（３）の期間である。
【０００６】
【発明が解決しようとする課題】
白熱灯や蛍光灯といった高圧放電灯以外のＥ２６口金を持つランプをＥ２６べース型ランプソケットを有する高圧放電灯点灯装置に誤挿入する可能性があった。白熱灯や蛍光灯を高圧放電灯点灯装置へ誤挿入した場合、正当な点灯装置とランプの組合せでないため正常点灯できなく、所望の光出力を得るのが困難であった。また、高圧放電灯点灯装置において、白熱灯や蛍光灯の誤挿入時に出力電流が増大し、部品温度上昇が大きくなり、これに連れて部品の寿命が短縮される問題があった。
【０００７】
本発明は上述のような点に鑑みてなされたものであり、その目的とするところは、高圧放電灯以外の白熱灯を誤挿入した場合の対策を考慮した高圧放電灯点灯装置を提供することにある。
【０００８】
【課題を解決するための手段】
本発明によれば、上記の課題を解決するために、図１に示すように、口金の形状が白熱灯の口金と同一形状である高圧放電灯ＬＡと、点灯用のエネルギーを供給する電源１と、前記電源１に接続された少なくとも限流要素（Ｌ２）と高圧パルス発生回路Ｉｇを含み、高圧放電灯ＬＡを始動させ、安定に点灯維持する点灯回路と、前記点灯回路の出力に接続され、前記口金に適合する形状のランプソケット（端子ＬＡ１−ＬＡ２）とを有して成る高圧放電灯点灯装置において、前記ランプソケットに前記高圧放電灯ＬＡと同一形状の口金を持つ白熱灯が挿入されている誤挿入時に、誤挿入を検出する手段Ｄｅｔを有し、誤挿入検出時には、前記点灯回路が前記ランプソケットに高圧放電灯ＬＡが挿入されている場合よりも大きい電力を供給し、ランプが白熱灯であった場合にランプへ供給する電流を多くして、フィラメントを断線させる制御を行うことを特徴とするものである。
【０００９】
【発明の実施の形態】
（前提となる構成１）
図１は本発明の前提となる構成１の回路図である。本回路では、従来の高圧放電灯点灯装置（図１２）に、白熱灯か蛍光灯が誤挿入されていた場合にそれを検知して、回路動作を停止させる機能を持つランプ誤挿入検知回路Ｄｅｔを追加したものである。
【００１０】
以下、ランプ誤挿入検知回路Ｄｅｔの動作を詳しく説明する。ランプＬＡが高圧放電灯である場合、絶縁破壊前のランプ両端のインピーダンスは、非常に大きく、ほぼ無限大である。しかし、白熱灯や点灯回路内蔵型蛍光灯のランプ両端のインピーダンスは高圧放電灯の絶縁破壊前のランプ両端のインピーダンスに比較して非常に小さい。この特性を利用して、パルス印加前の２次電圧が発生している期間の出力端子ＬＡ１−ＬＡ２間の電圧を検出し、ランプが高圧放電灯であるのか、または白熱灯か点灯回路内蔵型蛍光灯であるのかが判断できる。
【００１１】
ここで、端子ＬＡ１−ＬＡ２間の電圧によるランプ誤挿入検知方法を説明する。高圧パルス電圧が発生しない無負荷時動作をする図２（１）の期間を設ける。この期間において、負荷が高圧放電灯の場合、絶縁破壊が起こっていないので、端子ＬＡ１−ＬＡ２間のインピーダンスは非常に大きく、ほぼ無限大であるため、端子ＬＡ１−ＬＡ２間の電圧（ＶＤｅｔ）を検出すると、図２のＶｏｋで示す２次電圧と同じ電圧の矩形波が検出される。しかし、負荷が白熱灯や蛍光灯の場合、インピーダンスが端子ＬＡ１−ＬＡ２間につながり、前記Ｖｏｋの振幅の矩形波２次電圧よりも低い電圧値の矩形波Ｖｓｔが検出される。そこで、ＶｏｋとＶｓｔを判別するスレッシュホールド電圧Ｖｔｈを設定しておき、このスレッシュホールド電圧Ｖｔｈよりも低い電圧すべてをＶｓｔと判断する。
【００１２】
ランプ誤挿入検知回路Ｄｅｔにて、スレッシュホールド電圧Ｖｔｈよりも低い電圧Ｖｓｔが検出された場合、ランプ誤挿入検知回路Ｄｅｔから制御回路５へ停止信号を送信して、スイッチング素子Ｑ２への制御信号の出力を停止させる。スレッシュホールド電圧Ｖｔｈよりも高い電圧Ｖｏｋを検出したときには、以後、従来の高圧放電灯点灯装置の動作をする。
【００１３】
（前提となる構成２）
図３に本発明の前提となる構成２の回路図を示す。本回路の基本動作は前提となる構成１と同じであるが、前提となる構成１のランプ誤挿入検知回路Ｄｅｔの検出箇所を変更し、端子ＬＡ１−ＬＡ２間に流れる電流の検出に換えたものである。
ここで本構成例のランプ誤挿入検知回路Ｄｅｔの検知方法を説明する。電源投入時に、高圧パルス電圧が発生しない無負荷時動作をする図２（１）の期間を設ける。この期間において、負荷が高圧放電灯で絶縁破壊が起こっていない場合、端子ＬＡ１−ＬＡ２間のインピーダンスは非常に大きく、ほぼ無限大であるため電流は流れないが、負荷が白熱灯や蛍光灯の場合、インピーダンスが端子ＬＡ１−ＬＡ２間に接続されていることになるので、このインピーダンスを介して電流が流れる。これにより、電流を検知した場合、白熱灯あるいは点灯回路内蔵型蛍光灯が誤挿入されていることが分かる。そこで、本構成例では、ランプ誤挿入検知回路Ｄｅｔにて電流が検出された場合、ランプ誤挿入検知回路Ｄｅｔから制御回路５へ停止信号を送信して、スイッチング素子Ｑ２への制御信号の出力を停止させる。ランプ誤挿入検知回路Ｄｅｔにて電流を検出しなかった場合、以後、従来の高圧放電灯点灯装置の動作をする。
【００１４】
（前提となる構成３）
図４に本発明の前提となる構成３の回路図を示す。本回路の基本動作は前提となる構成１と同じであるが、ランプ誤挿入検知回路が前提となる構成１の電圧検出方法による検知回路Ｄｅｔ１と、前提となる構成２の電流検出方法による検知回路Ｄｅｔ２の両方の検出方法を併用した電力検出方法によりランプ誤挿入を検知することを特徴とするものである。
【００１５】
ランプ誤挿入検知回路Ｄｅｔ１では、前提となる構成１の電圧による検知を行い、ランプ誤挿入検知回路Ｄｅｔ２では前提となる構成２の電流による検知を行っている。このように、２つの検出方法を併用することにより、前提となる構成１、２よりも微細な電圧・電流の変化も検知でき、より正確なランプ誤挿入検出回路を構成できる。
【００１６】
（前提となる構成４）
本構成例の回路は、前提となる構成１と同じ図１である。本回路の基本動作は前提となる構成１〜３と同じであるが、ランプ誤挿入検知回路Ｄｅｔの検知期間である図２（１）の期間を設けず、検出も高圧パルス電圧発生回路Ｉｇの動作停止後の図１５（２）の期間において行うものである。
【００１７】
以下に、本構成例によるランプ誤挿入検知回路Ｄｅｔの動作を詳しく説明する。ランプが高圧放電灯である場合、絶縁破壊後の端子ＬＡ１−ＬＡ２間のインピーダンスは、ほぼ０から徐々に増していく。しかし、ランプが白熱灯や点灯回路内蔵型蛍光灯の場合、端子ＬＡ１−ＬＡ２間のインピーダンスは常にほぼ一定に保たれる。前提となる構成１〜３における端子ＬＡ１−ＬＡ２間の電圧、電流又は電力の検出を図１５（２）の期間に２つ以上のコンパレータにより２つ以上のスレッシュホールド値を設けて何段階かに分けて行うことにより、インピーダンスの変化が検出できる。インピーダンスに変化がある場合、ランプが高圧放電灯であることが分かり、インピーダンスに変化が無い場合は白熱灯か点灯回路内蔵型蛍光灯であると判断できる。そこで、本構成例では、ランプ誤挿入検知回路Ｄｅｔにて、端子ＬＡ１−ＬＡ２間のインピーダンスの変化が検知されなかった場合には、ランプ誤挿入検知回路Ｄｅｔから制御回路５へ停止信号を送信して、スイッチング素子Ｑ２への制御信号の出力を停止させるものである。また、端子ＬＡ１−ＬＡ２間のインピーダンスの変化が検知されたときには、従来の高圧放電灯点灯装置の動作をする。
【００１８】
（比較例１）
図５に本発明に対する比較例１の制御方法を示す。回路図は、上述の図１、図３又は図４に対応する。本回路の基本動作は前提となる構成１〜４と同じであるが、ランプ誤挿入検出時において、ランプへ供給する電力を絞り、ランプの点灯状態が異常であることを使用者に知らせる制御を行うことを特徴とするものである。
【００１９】
以下に本構成例の制御方法について説明する。上述の前提となる構成１〜４のいずれかの手段により、ランプ誤挿入を検出した場合、制御回路５からスイッチング素子Ｑ２へ出力するドライブ信号のオン幅を破線で示した通常点灯時のドライブ信号のオン幅よりも狭くする。図５で示すように、ドライブ信号のオン幅ｔｏｎが通常点灯時でのドライブ信号より狭いと、当然、出力電流（同図（ａ））、出力電圧（同図（ｂ））のピーク値も通常点灯時よりも低くなる。そのため、端子ＬＡ１−ＬＡ２間の負荷に供給される出力も通常点灯時での出力よりも小さく絞られた出力となる。
【００２０】
（比較例２）
図６に本発明に対する比較例２の制御方法を示す。回路図は、上述の図１、図３又は図４に対応する。本回路の基本動作は前提となる構成１〜４と同じであるが、ランプ誤挿入検出時において、ランプへ供給する電力を間欠的に供給し、ランプを点滅させて、ランプの点灯状態が異常であることを使用者に知らせる制御を行うことを特徴とするものである。
【００２１】
以下に本構成例の制御方法を説明する。上述の前提となる構成１〜４のいずれかの手段により、ランプ誤挿入を検出した場合、制御回路５からスイッチング素子Ｑ２へ出力するドライブ信号を図６のように、ある一定に設定された時間ごとに間欠発振させる。これにより、ランプを点滅させて、ランプの点灯状態が異常であることを使用者に知らせることができる。
【００２２】
（実施例１）
図７に本発明の実施例１の制御方法を示す。回路図は、上述の図１、図３又は図４に対応する。本回路の基本動作は前提となる構成１〜４と同じであるが、ランプ誤挿入検出時において、ランプが白熱灯であった場合にランプへ供給する電流を多くして、フィラメントを断線させる制御を行うものである。
【００２３】
以下に本実施例の制御方法を説明する。前提となる構成１〜４のいずれかの手段により、ランプ誤挿入を検出した場合、制御回路５からスイッチング素子Ｑ２へ出力するドライブ信号のオン幅を通常点灯時のドライブ信号のオン幅よりも広くする。図７で示すように、ドライブ信号のオン幅ｔｏｎが通常点灯時よりも広いと、当然出力電流（同図（ａ））、出力電圧（同図（ｂ））のピーク値も破線で示す通常点灯時よりも高くなる。そのため、端子ＬＡ１−ＬＡ２間の負荷に供給される出力も通常時よりも大きい出力となる。これにより、ランプが白熱灯であった場合にランプへ供給する電流を多くして、フィラメントを断線させることができる。
【００２４】
（前提となる構成５）
図８に本発明の前提となる構成５の回路図を示す。本回路図は、上述の各構成と同じくランプ誤挿入検知回路Ｄｅｔを付加したものであるが、５石式の高圧放電灯点灯回路と比べて、スイッチング素子が一つ減った４石のフルブリッジ式点灯回路を用いる点を特徴としている。本構成例の回路は、直流電源回路１である昇圧チョッパ部と、４石のフルブリッジ式の極性反転回路３と、高圧パルス電圧発生回路Ｉｇと、ランプ誤挿入検知回路Ｄｅｔと、ランプ誤挿入検知時に昇圧チョッパ動作停止信号を出力する制御回路５から成る。直流電源回路１は上述の各構成と同様のものである。極性反転回路３は前段の昇圧チョッパを含めた直流電源回路１からの直流出力をＭＯＳＦＥＴのようなスイッチング素子Ｑ３〜Ｑ６で構成されるフルブリッジ回路により低周波の矩形波交流電流に変換して高圧放電灯ＬＡに供給する矩形波インバータを構成する。下側のスイッチング素子Ｑ５とＱ６は、交互に数１００Ｈｚの低周波でオン・オフする。上側のスイッチング素子Ｑ３は下側のスイッチング素子Ｑ６がオンしている期間に、上側のスイッチング素子Ｑ４は下側のスイッチング素子Ｑ５がオンしている期間に、それぞれ数１０ｋＨｚの高周波でオン・オフする。高圧パルス電圧発生回路Ｉｇは、高圧放電灯を絶縁破壊させるための高圧パルス電圧を発生させ、高圧放電灯の始動後は動作を停止する。
【００２５】
図８に示す制御回路５は、ランプ誤挿入検知回路Ｄｅｔが前提となる構成１と同じく電圧による検出をして、ランプが白熱灯か点灯回路内蔵型蛍光灯である場合に、ランプ誤挿入検知回路Ｄｅｔからの停止信号を受けて昇圧チョッパ回路のスイッチング素子Ｑ１の動作を停止させる。ランプが高圧放電灯である場合には、ランプ誤挿入検知回路Ｄｅｔからの停止信号が来ないので、通常の昇圧チョッパ動作を行わせる。
【００２６】
（前提となる構成６）
図９に本発明の前提となる構成６の回路図を示す。本構成例も上述の各構成と同じくランプ誤挿入検知回路Ｄｅｔを付加したものであるが、４石式の高圧放電灯点灯回路と比べて、スイッチング素子がさらに二つ減った２石のハーフブリッジ式点灯回路を用いている点が異なる。本構成例の点灯回路は、直流電源回路１である昇圧チョッパ部と、２石のハーフブリッジ式極性反転回路３と、高圧パルス電圧発生回路Ｉｇと、ランプ誤挿入検知回路Ｄｅｔと、ランプ誤挿入検知時に昇圧チョッパ動作停止信号を出力する制御回路５から成る。直流電源回路１は上述の各構成と同様のものである。極性反転回路３は、前段の昇圧チョッパを含めた直流電源回路１からの直流出力を入力とし、ＭＯＳＦＥＴのようなスイッチング素子Ｑ２とＱ３で構成されるハーフブリッジ回路により低周波の矩形波電圧を出力させる。
【００２７】
以下、本構成例の動作について説明する。スイッチング素子Ｑ２がオン・オフする期間とスイッチング素子Ｑ３がオン・オフする期間は、数１００Ｈｚで切り替わる。スイッチング素子Ｑ２がオン・オフしている期間では、スイッチング素子Ｑ３はオフであり、スイッチング素子Ｑ３がオン・オフしている期間では、スイッチング素子Ｑ２はオフである。また、スイッチング素子Ｑ２、Ｑ３は数１０ｋＨｚの高周波でオン・オフする。以上の動作によって、高圧放電灯ＬＡに低周波の矩形波の交流電流を流すものである。高圧パルス電圧発生回路Ｉｇは、高圧放電灯を絶縁破壊させるための高圧パルス電圧を発生させ、高圧放電灯の始動後は動作を停止する。
【００２８】
図９に示す制御回路５は、ランプ誤挿入検知回路Ｄｅｔが前提となる構成２と同じ検出をして、ランプが白熱灯か点灯回路内蔵型蛍光灯である場合にはランプ誤挿入検知回路Ｄｅｔからの停止信号を受けて、昇圧チョッパ回路のスイッチング素子Ｑ１の動作を停止させる。ランプが高圧放電灯である場合にはランプ誤挿入検知回路Ｄｅｔからの停止信号が来ないので、通常の昇圧チョッパ動作を行わせる。
【００２９】
（前提となる構成７）
図１０に本発明の前提となる構成７の要部回路図を示す。上述の各構成において、直流電源回路１は、交流電源と整流平滑回路と昇圧チョッパ回路を組み合わせたものであったが、図１０（ａ）のように、交流電源と整流平滑回路を組み合わせたものでも良く、また、図１０（ｂ）のように、直流電源回路は電池に置き換えても良い。
【００３０】
（前提となる構成８）
図１１に本発明の前提となる構成８の回路図を示す。本構成例では、商用交流電源ＡＣからインダクタＬ１を介して、ランプＬＡへ電力が供給される。高圧パルス電圧発生回路Ｉｇから高圧パルス電圧がランプＬＡに印加される前に、ランプ誤挿入検知回路Ｄｅｔに電流が流れると、ランプ誤挿入検知回路Ｄｅｔがそれを検知して、絶縁破壊前には電流の流れない高圧放電灯とは異なる負荷である白熱灯か蛍光灯がＥ２６べース型ソケットへ挿入されていることを制御回路６へ伝える。制御回路６からは、スイッチング素子Ｑ１へ停止信号が伝達されて、スイッチング素子Ｑ１がオフし、負荷への電力供給を停止させる。
【００３１】
【発明の効果】
本発明によれば、口金の形状が白熱灯の口金と同一形状である高圧放電灯の点灯装置において、ランプソケットに白熱灯が挿入されている誤挿入を検出する手段を有し、誤挿入検出時には、点灯回路がランプソケットに高圧放電灯が挿入されている場合よりも大きい電力を供給し、ランプが白熱灯であった場合にランプへ供給する電流を多くして、フィラメントを断線させる制御を行うようにしたので、高圧放電灯点灯装置内の部品の発熱を防止することができ、これにより点灯装置の寿命を確保することができるという効果がある。また、供給する電力を大きくすることにより、誤挿入を使用者に知らせることができ、異常使用を防止することができるという効果がある。
【図面の簡単な説明】
【図１】  本発明の前提となる構成１の回路図である。
【図２】  本発明の前提となる構成１の始動時の動作を示す動作説明図である。
【図３】  本発明の前提となる構成２の回路図である。
【図４】  本発明の前提となる構成３の回路図である。
【図５】  本発明に対する比較例１の動作波形図である。
【図６】  本発明に対する比較例２の動作波形図である。
【図７】  本発明の実施例１の動作波形図である。
【図８】  本発明の前提となる構成５の回路図である。
【図９】  本発明の前提となる構成６の回路図である。
【図１０】  本発明の前提となる構成７の要部回路図である。
【図１１】  本発明の前提となる構成８の回路図である。
【図１２】  従来例の回路図である。
【図１３】  従来例の制御回路の回路図である。
【図１４】  従来例の動作波形図である。
【図１５】  従来例の始動時の動作を示す動作説明図である。
【符号の説明】
１    直流電源回路
２    降圧チョッパ回路
３    極性反転回路
５    制御回路
ＬＡ  高圧放電灯
Ｉｇ  高圧パルス電圧発生回路
Ｄｅｔ  ランプ誤挿入検知回路
【図１】
0004244077.tif 000002
【図２】
0004244077.tif 000003
【図３】
0004244077.tif 000004
【図４】
0004244077.tif 000005
【図５】
0004244077.tif 000006
【図６】
0004244077.tif 000007
【図７】
0004244077.tif 000008
【図８】
0004244077.tif 000009
【図９】
0004244077.tif 000010
【図１０】
0004244077.tif 000011
【図１１】
0004244077.tif 000012
【図１２】
0004244077.tif 000013
【図１３】
0004244077.tif 000014
【図１４】
0004244077.tif 000015
【図１５】
0004244077.tif 000016